(57)【要約】      （修正有）【課題】視覚障害者に現在位置と進行方向に応じた情報を、音声で伝える案内情報システムを提供する。【解決手段】案内システムは、送信アンテナ２に接続した放送装置１と、視覚障害者が携帯する方位計５付き受信機３で構成する。該方位計付き受信機は、受信アンテナ４とイヤホン８を具備する。該放送装置は予め録音した案内情報を繰り返し再生する案内情報発生部と送信増幅部よりなる。案内情報は送信アンテナを介して、出力される。案内情報の内容は、設置場所と方位に対応したもので、方位に対応するチャンネル数の情報が同時に出力される。該方位計付き受信機は、方位計からの方位データを受け、方位チャンネル選択部と受信増幅部よりなる。送信アンテナに近づいた受信アンテナから受信した案内情報の中から、受信機の位置に応じた方位チャンネルの案内情報を選択して、イヤホンを通じて音声案内を行う。【選択図】図１
0003148474.tif 000002
【実用新案登録請求の範囲】
【請求項１】
視覚障害者に現在位置と方位に応じた情報を提供するために、案内の要所に設置された送信アンテナを有する放送装置において、方位に応じた案内情報を多チャンネル同時に発生し、送信アンテナに出力できる放送装置を有する案内システム装置
【請求項２】
現在位置と方位に応じた情報を受信するために視覚障害者が携帯する受信機において、多チャンネルの案内情報から特定の方位に応じた案内情報を選択するための方位計を具備する携帯用受信機を有する案内システム装置
【請求項３】
現在位置と方位に応じた情報を受信するために視覚障害者が携帯する方位計付き受信機において、多チャンネルの案内情報から特定の方位に応じた案内情報を選択するため、方位計からの方位信号に対応して受信チャンネルを選択する機能を具備する受信機を有する案内システム装置
【考案の詳細な説明】
【技術分野】
【０００１】  この考案は、視覚障害者に現在位置と進行方向に応じた案内情報を提供するための案内システム装置に関するものである。
【背景技術】
【０００２】  視覚障害者に案内情報を提供するための技術としては、案内装置「登録実用新案第３０１７６３５号」がある。
この技術は、案内の要所に設置した送信機より地中や床面に敷設したループアンテナに案内信号を常時流しておき、ループアンテナに接近した視覚障害者が携帯する受信機にて案内信号を受信し、イヤホンを通じて視覚障害者に音声による案内情報を提供するものである。【０００３】  従来の技術では、視覚障害者の進行方向を判定する機能がないため、ループアンテナの範囲に入った視覚障害者に対しては、進行方向と無関係に例えば「入口付近です。」といった内容の案内情報しか提供できず、本来必要な「入口はあなたの右側です。」等、進行方向を考慮した具体的な内容の案内ができなかった。
【考案の開示】
【考案が解決しようとする課題】
【０００４】  本考案は、例えば、北向きの人には「入口は右側です。」の案内を、南向きの人に対しては「入口は左側です。」といったように視覚障害者の進行方向の方位に対応した具体的な案内情報の提供を目的にしている。
【課題を解決するための手段】
【考案の効果】
【０００５】  上記の目的を解決するために、案内システムは床面や壁面に敷設した送信アンテナに接続した放送装置と、視覚障害者が携帯する方位計付き受信機で構成される。方位計付き受信機は、受信アンテナ、イヤホンを具備している。【０００６】  放送装置はあらかじめ録音した案内情報を繰返し再生する案内情報発生部と送信増幅部より成り、送信増幅部で増幅された案内情報は送信アンテナより電磁波として出力される。
案内情報の内容は設置場所と方位に対応したもので、方位に対応するチャンネル（以下、方位チャンネルという。）数の情報が同時に、常時送信アンテナより流される。【０００７】  視覚障害者が携帯する方位計付き受信機は、方位計からの方位データを受け、方位チャンネルを選択するチャンネル選択部と、受信信号を増幅しイヤホンに音声信号を出力するための受信増幅部より成り、送信アンテナに近付いた受信アンテナから受信した案内情報の中より受信機を携帯する視覚障害者の身体の方位に応じた方位チャンネルの案内情報のみを選択し、イヤホンを通じて音声案内する。
【考案を実施するための最良の形態】
【実施例】
【０００８】  図１は、本考案に係わる案内システム装置の一実施例説明図、図２は、放送装置のブロック図、図３は、方位計付き受信機のブロック図を示している。【０００９】  図１は通りが交差する廊下を想定し、交差際の壁面に取付けた放送装置１と床面に埋設されたループコイル状の送信アンテナ２と、人が携帯できる受信機３で案内システム装置を構成している。【００１０】  放送装置１は交差する廊下の壁面に取付けられ、近傍の床面にループコイル状の送信アンテナ２を埋設している。
放送装置１には、図２に示すように案内情報発生部９及び送信増幅部１０が内蔵されており、放送装置１の電源は壁面のコンセントより供給されている。【００１１】  方位計５付き受信機３は形状に方向性を有するステッキの握り部に固定され、イヤホン８とステッキの接地部の受信アンテナ４が受信機３に接続されている。
受信機３には、図３に示すようにチャンネル選択部６及び受信増幅部７が内蔵されており、受信機３の電源は内蔵の電池より供給されている。【００１２】  放送装置１から送信アンテナ２に、４方位チャンネルの案内情報が同時に常時送信され、送信アンテナ２からはこの案内情報が電磁波として放出される。
案内情報の内容の一例を、次に示す。
方位チャンネル［東］：ここは中央廊下です。案内所は前方２０ｍ先です。
方位チャンネル［西］：ここは中央廊下です。案内所は後方２０ｍ先です。
方位チャンネル［南］：ここは中央廊下です。案内所は左方向２０ｍ先です。
方位チャンネル［北］：ここは中央廊下です。案内所は右方向２０ｍ先です。【００１３】  送信アンテナ２が埋設されている範囲に受信機３を携帯した視覚障害者が、南向きで侵入した場合を例に説明する。
ステッキの接地部の受信アンテナ４が送信アンテナ２からの電磁波を受信した４方位チャンネル分の案内情報と、ステッキの握り部の方位計５が検知した方位データ［南］は受信機３内部のチャンネル選択部６に入力される。
チャンネル選択部６は、方位計５からのデータに従い、受信アンテナ４からの案内情報から方位チャンネル［南］を選択し受信増幅部７に送出する。
受信増幅部７で増幅された信号はイヤホンを通し音声として出力される。【００１４】  結果として、受信機３を携帯した視覚障害者が中央廊下に南向きで侵入した場合方位チャンネル［南］の案内情報「ここは中央廊下です。案内所は左方向２０ｍ先です。」のみを、イヤホンを通して聞くことになる。
【産業上の利用可能性】
【００１５】  以上に説明した如く本考案によれば、案内の要所に設置された送信アンテナより、視覚障害者が携帯する方位計付き受信機のイヤホンを通して進行方向や、身体の向きを考慮した具体的な案内情報が提供できるため、視覚障害者に対し、危険回避、場所の案内、所在位置や方向の確認等、高度の案内が可能となる。
【図面の簡単な説明】
【００１６】
【図１】  本考案に係わる案内システム装置の一実施例説明図である。
【図２】  放送装置のブロック図である。
【図３】  方位計付き受信機のブロック図である。
【符号の説明】
【００１７】  １  放送装置
２  送信アンテナ
３  受信機
４  受信アンテナ
５  方位計
６  チャンネル選択部
７  受信増幅部
８  イヤホン
９  案内情報発生部
１０  送信増幅部
【図１】
0003148474.tif 000003
【図２】
0003148474.tif 000004
【図３】
0003148474.tif 000005